(57)【要約】【課題】比較的遠くの被写体の音声をクリアに録音することができるようにすることを目的とする。【解決手段】マイクユットで収音した音声を音声信号に変換し、この音声信号を無線で送信する送信機と、この音声信号を受信する受信機とを有するワイヤレスマイクロホンの送信機固定装置において、この送信機のマイクユットの装着面側とは反対面側にクリップを設け、このクリップによりこの送信機を平面上に載置できるようにすると共にこのクリップによりこの送信機を固定ベルトのクリップ装着部に装着するようにしたものである。【選択図】図１
2007181083.tif 000002
【特許請求の範囲】
【請求項１】
マイクユットで収音した音声を音声信号に変換し、該音声信号を無線で送信する送信機と、前記音声信号を受信する受信機とを有するワイヤレスマイクロホンにおいて、
前記送信機のマイクユットの装着面側とは反対面側にクリップを設け、該クリップにより前記送信機を平面上に載置できるようにしたことを特徴とするワイヤレスマイクロホン。
【請求項２】
請求項１記載のワイヤレスマイクロホンにおいて、
前記クリップは、前記送信機に着脱自在としたことを特徴とするワイヤレスマイクロホン。
【請求項３】
請求項１記載のワイヤレスマイクロホンにおいて、
前記クリップを前記送信機の一端側に係合するようにすると共に前記クリップの一端側と前記送信機の他端側とに載置用突起を設けたことを特徴とするワイヤレスマイクロホン。
【請求項４】
請求項１記載のワイヤレスマイクロホンにおいて、
前記送信機の一端側にストラップ用貫通孔を設け、該ストラップ用貫通孔にストラップを取り付けるようにしたことを特徴とするワイヤレスマイクロホン。
【請求項５】
マイクユットで収音した音声を音声信号に変換し、該音声信号を無線で送信する送信機と、前記音声信号を受信する受信機とを有するワイヤレスマイクロホンの送信機固定装置において、
前記送信機のマイクユットの装着面側とは反対面側にクリップを設け、該クリップにより前記送信機を平面上に載置できるようにすると共に前記クリップにより前記送信機を固定ベルトのクリップ装着部に装着するようにしたことを特徴とするワイヤレスマイクロホンの送信機固定装置。
【請求項６】
請求項５記載のワイヤレスマイクロホンの送信機固定装置において、
前記固定ベルトのクリップ装着部は、前記固定ベルトに両端が係止された帯状体又は両端及び挿入側とは反対側が係止されたポケット状体であることを特徴とするワイヤレスマイクロホンの送信機固定装置。
【請求項７】
請求項５又は６記載のワイヤレスマイクロホンの送信機固定装置において、
前記固定ベルトのクリップ装着部の前記クリップの挿入側に前記クリップのはずれ防止手段を設けたことを特徴とするワイヤレスマイクロホンの送信機固定装置。
【請求項８】
請求項７記載のワイヤレスマイクロホンの送信機固定装置において、
前記はずれ防止手段は、前記固定ベルトのクリップ装着部の前記クリップの挿入側に設けた、ひも状部材であることを特徴とするワイヤレスマイクロホンの送信機固定装置。
【請求項９】
請求項５記載のワイヤレスマイクロホンの送信機固定装置において、
前記固定ベルトのベルト部は複数の面ファスナーが取り付けられると共に該複数の面ファスナー間が少なくとも弾性部材であることを特徴とするワイヤレスマイクロホンの送信機固定装置。
【請求項１０】
請求項５記載のワイヤレスマイクロホンの送信機固定装置において、
前記固定ベルトは、一端にバックル、次にクリップ装着部、その次に複数の面ファスナーの一方の係合面が固定され、前記固定ベルトの他端に前記面ファスナーの他方の係合面が固定されたことを特徴とするワイヤレスマイクロホンの送信機固定装置。
【発明の詳細な説明】
【技術分野】
【０００１】
本発明は、例えばビデオカメラレコーダ等の撮像装置に適用して好適なワイヤレスマイクロホン及びワイヤレスマイクロホンの送信機固定装置に関する。
【背景技術】
【０００２】
一般に、デジタルビデオカメラレコーダ等のビデオカメラレコーダにおいては、被写体を撮影すると共にこの被写体の音声を録音するようにしている。この被写体の音声を録音するのに、ビデオカメラレコーダ本体に内蔵した例えば４チャンネルのマイクユットを設け、このマイクユットで収音した音声を録音するようにしていた。
【０００３】
ところで、特許文献１には、マイクの取付け位置を自由に選択することができるようにしたものが開示されている。
【特許文献１】特開２００３−３１９４８０号公報
【発明の開示】
【発明が解決しようとする課題】
【０００４】
然しながら、従来のビデオカメラレコーダ本体に内蔵したマイクユットで収音した被写体の音声を録音するようにしたビデオカメラレコーダにおいては、遠く例えば１０ｍ〜３０ｍ離れた被写体を撮影することはできるが、この被写体の音声をクリアに録音することはできなかった。
【０００５】
本発明は、斯かる点に鑑み、比較的遠くの被写体の音声をクリアに録音することができるようにすることを目的とする。
【課題を解決するための手段】
【０００６】
本発明ワイヤレスマイクロホンは、マイクユットで収音した音声を音声信号に変換し、この音声信号を無線で送信する送信機と、この音声信号を受信する受信機とを有するワイヤレスマイクロホンにおいて、この送信機のマイクユットの装着面側とは反対面側にクリップを設け、このクリップによりこの送信機を平面上に載置できるようにしたものである。
【０００７】
本発明ワイヤレスマイクロホンの送信機固定装置は、マイクユットで収音した音声を音声信号に変換し、この音声信号を無線で送信する送信機と、この音声信号を受信する受信機とを有するワイヤレスマイクロホンの送信機固定装置において、この送信機のマイクユットの装着面側とは反対面側にクリップを設け、このクリップによりこの送信機を平面上に載置できるようにすると共にこのクリップによりこの送信機を固定ベルトのクリップ装着部に装着するようにしたものである。
【発明の効果】
【０００８】
本発明における送信機を被写体に装着又は近傍に載置すると共に受信機をビデオカメラレコーダに装着したときには、比較的遠くの被写体の音声をクリアに録音することができる。
【発明を実施するための最良の形態】
【０００９】
以下、図面を参照して、本発明ワイヤレスマイクロホン及びワイヤレスマイクロホンの送信機固定装置を実施するための最良の形態の例につき説明する。
【００１０】
図１は、本例によるワイヤレスマイクロホンを全体として示す外観図である。本例によるワイヤレスマイクロホンは例えば被写体１である人の腕に後述する固定ベルト３０で取り付けた、前面に設けられたマイクユットで収音された音声を音声信号に変換し、この音声信号を無線で送信する送信機２と、この音声信号を受信する例えばビデオカメラレコーダ３の端子付アクセサリーシュー３ａに取り付けられた受信機４とより成る。この場合、受信機４を端子付アクセサリーシュー３ａに取り付けることにより、受信機４のアンテナの指向角とビデオカメラレコーダ３の光軸方向とが常に一致することになり、被写体１の撮影方向と受信機４のアンテナの指向角方向とが常に一致し、良好な通信ができる。
【００１１】
本例においては、送信機２より、音声信号を無線で送信するのにBluetooth（登録商標）無線技術であるＡ２ＤＰ（Advanced Audio Distrbution Profile）を使用する。このＡ２ＤＰは、高品質なオーディオデータを伝送できると共に電波障害に強く、３０ｍ程度の無線通信ができる。
【００１２】
この受信機４には、このビデオカメラレコーダ３の端子付アクセサリーシュー３ａに対応するシューコネクタ４ａをもうける。この端子付アクセサリーシュー３ａ及びシューコネクタ４ａには電源端子、音声信号端子等を有し、ビデオカメラレコーダ３の本体と受信機４との間で信号の授受ができる如くなされている。
【００１３】
この受信機４には、イヤホーン端子５を設け、このイヤホーン端子５にイヤホーンを接続することにより、撮影者が送信機２よりの音声信号を聴くことができる如くなされている。
【００１４】
また、この受信機４には、オンモード、オフモード、5.1チャンネルモードのモード切換スイッチが設けられている。オフモードのときは、送信機２から送信されて来る音声信号を録音しないモードである。
【００１５】
オンモードのときは、図２に示す如く、送信機２よりの音声信号を受信機４で受信し、この受信機４で２チャンネルの信号を形成して、ビデオカメラレコーダ３の２チャンネル処理回路６を介して、ドルビーデジタル２チャンネルエンコーダ７に供給し、このドルビーデジタル２チャンネルエンコーダ７の出力信号を映像信号と音声信号とを結合する結合回路８に供給する。
【００１６】
また、カメラ９よりの映像信号を、この結合回路８に供給し、この結合回路８の出力信号をデジタルビデオディスク（ＤＶＤ）１０に記録する如くする。
【００１７】
また、５．１チャンネルモードのときは、図３に示す如く、ビデオカメラレコーダ３の本体内蔵の４チャンネルマイクユット１１よりの４チャンネルの音声信号がビデオカメラレコーダ３のデジタルシグナルプロセッサ（ＤＳＰ）より成る５．１チャンネル合成回路１２に供給され、５．１チャンネルの音声信号を得、この５．１チャンネル合成回路１２よりの５．１チャンネルの音声信号をドルビーデジタル５．１チャンネルエンコーダ１３に供給する。
【００１８】
この５．１チャンネルモードのときは、この５．１チャンネルの音声信号のセンター音声信号に、この受信機４よりの音声信号を加算してドルビーデジタル５．１チャンネルエンコーダ１３に供給し、このドルビーデジタル５．１チャンネルエンコーダ１３の出力信号を映像信号と音声信号とを結合する結合回路８に供給する。
【００１９】
また、カメラ９よりの映像信号を、この結合回路８に供給し、この結合回路８の出力信号をデジタルビデオディスク（ＤＶＤ）１０に記録する如くする。
【００２０】
図４は、本例による送信機２の６面図を示し、図４Ａは正面図、図４Ｂは背面図、図４Ｃは上面図、図４Ｄは底面図、図４Ｅは左側面図、図４Ｆは右側面図である。  
【００２１】
本例においては、図４Ａに示す如く、この送信機２の正面上端の内側に、収音した音声を音声信号に変換するマイクユットを設ける。図４Ａ、Ｃにおいて、２ａはマイクユット用の通気孔である。
【００２２】
また、本例においては、図７Ａ、Ｂに示す如く、この送信機２の背面、即ち送信機２のマイクユットの装着面側とは反対面側の上端側にクリップ２１を着脱自在に取り付ける。
【００２３】
このクリップ２１は、図５及び図６に示す如く、クリップ一側２１ａ及びクリップ他側２１ｂ間でバネの力により固定部を挟持するようにしたものである。図６は、クリップ２１のクリップ一側２１ａ及びクリップ他側２１ｂをバネ力に抗して開いた状態を示す。
【００２４】
この送信機２の背面に、クリップ２１を着脱自在に取り付けるのに、例えば送信機２の背面に図４Ｄに示す如く、ストッパ部を有する左右２つの係合溝２２、２２及び図４Ｂ、図５に示すごとき、登り傾斜と係止部を有する係合片２３を設け、クリップ２１のクリップ他側２１ｂの固定部挟持側とは反対側面に図５、図６、図７に示す如く、送信機２の背面の係合溝２２、２２に挟持係合する左右２つの所定長さの係合突起２４、２４を設け、この係合突起２４、２４が係合溝２２、２２に下方より係合して上方に係合溝２２、２２のストッパ部まで摺動する如くする。
【００２５】
また、クリップ２１のクリップ他側２１ｂの固定部挟持側とは反対側面の上端に図５に示す如く、下り傾斜と係止部とを有する係合片２３と係合する係合片２５を設ける。
【００２６】
本例においては、送信機２にクリップ２１を取り付けるときには、送信機２の背面の係合溝２２、２２にクリップ２１のクリップ他側２１ｂの固定部挟持側とは反対側面に設けた係合突起２４、２４を下方より係合して上方に係合溝２２、２２のストッパ部まで摺動し、係合片２３の登り傾斜に沿って、係合片２５の下り傾斜が登り、この係合片２３及び２５の係止部が互いに係合して固定される。
【００２７】
また、この送信機２よりクリップ２１取り外すときは、この係合片２３及び２５の係止部の互いの係合を解除し、係合突起２４、２４を上述とは逆方向に係合溝２２、２２を摺動すれば良い
【００２８】
このクリップ２１の送信機２への取付け面側とは反対側面即ちクリップ２１のクリップ一側２１ａの固定部挟持側とは反対側面の上端側の左及び右側と送信機２の背面の下端側の左及び右側との所定位置に載置用突起２６を設け、この載置用突起２６により、図８に示す如く、この送信機２を平面上に安定して載置できるようにする。
【００２９】
また、この送信機２においては、図４Ａ、Ｃに示す如くこの送信機２の筐体上端中央部にストラップ用貫通孔２７を設け、図９に示す如く、このストラップ用貫通孔２７にストラップ２８を取り付けるようにする。
【００３０】
また、本例においては、図１０に示す如く、この送信機２にかぶせるウインドスクリーン２９を設ける。このウインドスクリーン２９を送信機２にかぶせたときには、強い風や人の息が直接あたるときに発生する雑音を減らすことができると共にこの送信機２の存在を隠すことができる。
【００３１】
図１１は、本例による送信機２にストラップ２８を取り付け、被写体１である人が首にこのストラップ２８を掛けると共に送信機２に取り付けたクリップ２１によりポケットに固定し、更にこの送信機２にウインドスクリーン２９をかぶせた状態を示す。
【００３２】
図１２は、本例による送信機２にクリップ２１を取り付けた状態で図１、図１５に示す如く、被写体１である人の腕等にこの送信機２を固定する固定ベルト３０を示す。本例による、この固定ベルト３０は、図１２に示す如く、幅が例えば２．５ｃｍ、長さが例えば４０ｃｍの固定ベルトを構成する例えば帯状ゴムの一端にバックル３１を固定し、この一端より他端に向かって、次にクリップ装着部３２、次に複数例えば３個の所定幅例えば２ｃｍ、所定長さ例えば９ｃｍの面ファスナーの一方の係合面（例えば雌面）３３ａ、３３ｂ、３３ｃが固定され、この帯状ゴムの他端に所定幅例えば２ｃｍ、所定長さ例えば３ｃｍの面ファスナーの他方の係合面（例えば雄面）３４が固定されたものである。
【００３３】
この場合、面ファスナーの一方の係合面（例えば雌面）３３ａ、３３ｂ、３３ｃ間を所定長さ例えば１ｃｍ間隔とし、この間は、帯状ゴムが伸びる如くする。
【００３４】
この固定ベルト３０のクリップ装着部３２は、図１２に示す如く、固定ベルト３０に両端が係止例えば縫い付けられたクリップ２１が挟持する所定の布より成る帯状体３２ａとこのクリップ装着部３２のクリップ２１の挿入側にループ状のゴムひも等の、ひも状部材３２ｂを固定し、このひも状部材３２ｂをクリップ２１がクリップ装着部３２に装着されたときにクリップ２１の上部に引っ掛けクリップ２１のこのクリップ装着部３２よりのはずれを防止するようにする。
【００３５】
この場合、この固定ベルト３０のクリップ装着部３２は、固定ベルト３０に両端及びクリップ挿入側とは反対側を係止例えば縫い付けられたクリップ２１が挟持する所定の布より成るポケット状体であっても良い
【００３６】
この固定ベルト３０を使用するときは、図１３及び図１４に示す如く、送信機２の背面上部にクリップ２１を取付け、このクリップ２１で固定ベルト３０のクリップ装着部３２の帯状体３２ａを挟持すると共にこのクリップ２１の上部にひも状部材３２ｂを引っ掛け、その後、図１、図１５に示す如く、被写体１である人の腕に面ファスナー側を外側として巻回し、その後図１４に示す如く、この固定ベルト３０の他端の面ファスナーの他方の係合面３４をバックル３１を通して反対方向に引き出し、最適に巻装した状態で、この面ファスナーの他方の係合面３４を面ファスナーの一方の係合面３３ａ、３３ｂ、３３ｃの所定位置に係合し、この送信機２を被写体１である人の腕に固定する。
【００３７】
この場合、この送信機２を図１、図１５に示す如く、ウインドスクリーン２９をかぶせる如くしても良い。
【００３８】
本例においては、上述の如く構成されているので、被写体１が図１５に示す如く、ジェトコースターに乗る場合、サッカーを行う場合等に、この送信機２を本例の固定ベルト３０にクリップ２１を使用してクリップ装着部３２に装着し、被写体１である人の腕に固定すれば、被写体１をビデオカメラレコーダ３で撮影できると共に被写体１の音声をクリアに録音することができる。
【００３９】
この場合、クリップ装着部３２にひも状部材３２ｂを設けたので、このクリップ２１がはずれることがなく、送信機２がはずれることがない。
【００４０】
また、旅行で添乗員に図１１に示す如く、この送信機２にストラップ２８をつけ、首にこのストラップ２８を掛けると共に送信機２に取り付けたクリップ２１によりポケットに固定したときには、ガイド内容を録音しながら、撮影者の思うままの撮影をすることができる。
【００４１】
また、パーティー等で、この送信機２をクリップ２１を使用し、所定のテーブルに載置用突起２６を用いて載置したときは、遠方よりビデオカメラレコーダ３で撮影しながら、楽しい雰囲気の生の声を録音することができる。
【００４２】
尚、本発明は上述例に限ることなく、本発明の要旨を逸脱することなく、その他種々の構成が採り得ることは勿論である。
【図面の簡単な説明】
【００４３】
【図１】本発明ワイヤレスマイクロホンを実施するための最良の形態の例を示す外観図である。
【図２】図１の要部の説明に供する構成図である。
【図３】図１の要部の説明に供する構成図である。
【図４】送信機の例の６面図である。
【図５】送信機の例の断面図である。
【図６】クリップの例の側面図である。
【図７】送信機へのクリップの取付け状態の例を示す斜視図である。
【図８】送信機の平面上への載置状態の例を示す斜視図である。
【図９】送信機へのストラップの取付け状態の例を示す切り欠き斜視図である。
【図１０】送信機へのウインドスクリーンの取付け例を示す斜視図である。
【図１１】送信機を被写体に固定した例を示す図である。
【図１２】固定ベルトの例を示す平面図である。
【図１３】送信機を固定ベルトに取り付ける例を示す切り欠き斜視図である。
【図１４】送信機を取り付けた固定ベルトの取付け例を示す斜視図である。
【図１５】送信機を被写体に固定した例を示す図である。
【符号の説明】
【００４４】
１…被写体、２…送信機、３…ビデオカメラレコーダ、４…受信機、５…イヤホン端子、６…２チャンネル処理回路、７…ドルビーデジタル２チャンネルエンコーダ、８…結合回路、９…カメラ、１０…デジタルビデオディスク、１１…４チャンネルマイクユット、１２…5.1チャンネル合成回路、１３…ドルビーデジタル5.1チャンネルエンコーダ、２１…クリップ、２２…係合溝、２３、２５…係合片、２４…係合突起、２６…載置用突起、２７…ストラップ用貫通孔、２８…ストラップ、２９…ウインドスクリーン、３０…固定ベルト、３１…バックル、３２…クリップ装着部、３３ａ、３３ｂ、３３ｃ…面ファスナーの一方の係合面、３４…面ファスナーの他方の係合面
【図１】
2007181083.tif 000003
【図２】
2007181083.tif 000004
【図３】
2007181083.tif 000005
【図４】
2007181083.tif 000006
【図５】
2007181083.tif 000007
【図６】
2007181083.tif 000008
【図７】
2007181083.tif 000009
【図８】
2007181083.tif 000010
【図９】
2007181083.tif 000011
【図１０】
2007181083.tif 000012
【図１１】
2007181083.tif 000013
【図１２】
2007181083.tif 000014
【図１３】
2007181083.tif 000015
【図１４】
2007181083.tif 000016
【図１５】
2007181083.tif 000017